(57)【要約】  複数のＲＥＣ装置でＲＥ装置を共有する場合でも、各ＲＥＣ装置がＴ１４遅延を測定することを課題とする。この課題を解決するため、データ中継装置は、自装置とＲＥ装置との間の遅延測定を行なう。そして、データ中継装置は、各ＲＥＣ装置からＴ１４遅延測定の基準となるフレームを受信した場合には、測定した時間と、自装置のデータ中継にかかる処理時間との分だけ遅らせてＲＥＣ装置に同一フレームを返す。その結果、各ＲＥＣ装置は、基準となるフレームを送信してから受信するまでの時間を測定することで、それぞれのＴ１４遅延を測定することができる。つまり、複数のＲＥＣ装置でＲＥ装置を共有する場合でも、各ＲＥＣ装置がＴ１４遅延を測定することが可能となる。
2010013332.tif 000002
【特許請求の範囲】
【請求項１】
移動端末と無線通信する基地局装置から送信されるデータを、前記基地局装置を制御する基地局制御装置に中継し、前記基地局制御装置から送信されるデータを、前記基地局装置に中継するデータ中継装置であって、
当該のデータ中継装置よりデータが送信されてから、前記データが前記基地局装置を経由して当該のデータ中継装置に受信されるまでのデータ転送時間を取得するデータ転送時間取得部と、
前記基地局制御装置より送信され、前記データが格納されるフレームから、所定のフレーム値を検出するフレーム値検出部と、
前記フレーム値検出部によって所定のフレーム値が検出された場合に、検出後さらに、前記データ転送時間取得部によって取得されたデータ転送時間に加え、所定の時間が経過した後に、前記所定のフレーム値が検出されたフレームの送信元へ、当該検出されたフレーム値と同じフレーム値を有するフレームを送信するフレーム送信部と
を備えたことを特徴とするデータ中継装置。
【請求項２】
所定のフレームを生成するフレーム生成部をさらに備え、
前記データ転送時間取得部は、前記フレーム生成部によって生成された所定のフレームを前記基地局装置に送信することで、前記所定のフレームが当該のデータ中継装置より送信されてから、前記所定のフレームが前記基地局装置を経由して当該のデータ中継装置に受信されるまでの時間を測定し、前記データ転送時間を取得することを特徴とする請求項１に記載のデータ中継装置。
【請求項３】
前記データ転送時間取得部は、前記フレームを前記基地局装置に中継することで、前記フレームが当該のデータ中継装置より送信されてから、前記フレームが前記基地局装置を経由して当該のデータ中継装置に受信されるまでの時間を測定し、前記データ転送時間を取得することを特徴とする請求項１に記載のデータ中継装置。
【請求項４】
前記所定の時間は、当該のデータ中継装置の前記基地局装置から前記基地局制御装置への中継処理時間と、前記基地局制御装置から前記基地局装置への中継処理時間との合計時間であることを特徴とする請求項２または３に記載のデータ中継装置。
【請求項５】
移動端末と無線通信する基地局装置から送信されるデータを、前記基地局装置を制御する基地局制御装置に中継し、前記基地局制御装置から送信されるデータを、前記基地局装置に中継するデータ中継装置によるフレーム処理方法であって、
前記データ中継装置よりデータが送信されてから、前記データが前記基地局装置を経由して前記データ中継装置に受信されるまでのデータ転送時間を取得するデータ転送時間取得工程と、
前記基地局制御装置より送信され、前記データが格納されるフレームから、所定のフレーム値を検出するフレーム値検出工程と、
前記フレーム値検出工程によって所定のフレーム値が検出された場合に、検出後さらに、前記データ転送時間取得工程によって取得されたデータ転送時間に加え、所定の時間が経過した後に、前記所定のフレーム値が検出されたフレームの送信元へ、当該検出されたフレーム値と同じフレーム値を有するフレームを送信するフレーム送信工程と
を含んだことを特徴とするフレーム処理方法。
【請求項６】
所定のフレームを生成するフレーム生成工程をさらに備え、
前記データ転送時間取得工程は、前記フレーム生成工程によって生成された所定のフレームを前記基地局装置に送信することで、前記所定のフレームが前記データ中継装置より送信されてから、前記所定のフレームが前記基地局装置を経由して前記データ中継装置に受信されるまでの時間を測定し、前記データ転送時間を取得することを特徴とする請求項５に記載のフレーム処理方法。
【請求項７】
前記データ転送時間取得工程は、前記フレームを前記基地局装置に中継することで、前記フレームが前記データ中継装置より送信されてから、前記フレームが前記基地局装置を経由して前記データ中継装置に受信されるまでの時間を測定し、前記データ転送時間を取得することを特徴とする請求項５に記載のフレーム処理方法。
【発明の詳細な説明】
【技術分野】
【０００１】
この発明は、移動端末と無線通信する基地局装置から送信されるデータを、前記基地局装置を制御する基地局制御装置に中継し、前記基地局制御装置から送信されるデータを、前記基地局装置に中継するデータ中継装置および当該データ中継装置によるフレーム処理方法に関し、例えば、複数の基地局制御装置で基地局装置を共有する場合でも、各基地局制御装置が、自装置から基地局装置までの往復のデータ転送時間を測定することが可能なデータ中継装置および当該データ中継装置によるフレーム処理方法に関する。
【背景技術】
【０００２】
従来、通信システムでは、通信を行なう装置間のデータ転送の遅延時間を測定することが行なわれる。ＣＰＲＩ（Common  Public  Radio  Interface）規格に準拠した無線通信システムでは、ＲＥＣ（Radio  Equipment  Control）装置とＲＥ（Radio  Equipment）装置との間のＴ１４遅延測定が知られている（特許文献１参照）。【０００３】
このＴ１４遅延とは、基準となるフレームが、ＲＥＣ装置より送信されてから、末端のＲＥ装置まで中継されて、再びＲＥＣ装置に受信されるまでの時間のことである。Ｔ１４遅延は、上記したシステム内の各ＲＥＣ装置で測定される。そして、各ＲＥＣ装置のＴ１４遅延を、各ＲＥＣ装置で測定されたＴ１４遅延のうち最長のものにまで強制的に延ばす、つまり短い遅延時間にはさらに時間を加えることで、各ＲＥＣ装置でＴ１４遅延を統一するという調整が行なわれる。このような調整は、例えば、移動端末のハンドオーバー時に不都合が生じないようにするために望まれている。【０００４】
このようなＴ１４遅延の測定方式は、ＣＰＲＩ規格で定義されており、以下に図１０や図１１を用いて、ＣＰＲＩ規格（ｖ３．０）に示されたＴ１４遅延の測定方式を説明する。【０００５】
図１０に示すように、ＲＥＣ装置１１００と、ＲＥ装置１２００と、ＲＥ装置１３００とが一続きに接続された場合を例に説明する。この場合のＴ１４遅延とは、基準となるフレームが、ＲＥＣ装置１１００の出力端Ｒ１より出力されてから、ＲＥ装置１２００の入力端ＲＢ２、出力端ＲＢ１を経由し、ＲＥ装置１３００の入力端Ｒ２、出力端Ｒ３を経由し、ＲＥ装置１２００の入力端ＲＢ４、出力端ＲＢ３を経由し、ＲＥＣ装置１１００の入力端Ｒ４に入力されるまでの時間である。つまり、Ｔ１４遅延は、Ｔ１２（１）＋Ｔ  ｄｅｌａｙ  ＤＬ（１）＋Ｔ１２（２）＋Ｔ  ｏｆｆｓｅｔ（２）＋Ｔ３４（２）＋Ｔ  ｄｅｌａｙ  ＵＬ（１）＋Ｔ３４（１）となる。【０００６】
Ｔ１２（１）は、フレームがＲ１から出力されてＲＢ２に入力されるまでの転送時間である。Ｔ  ｄｅｌａｙ  ＤＬ（１）は、ＲＥ装置１２００が、ＲＢ２から入力されたフレームをＲＢ１から出力するまでの処理時間である。Ｔ１２（２）は、フレームがＲＢ１から出力されてＲ２に入力されるまでの転送時間である。Ｔ  ｏｆｆｓｅｔ（２）は、ＲＥ装置１３００が、Ｒ２から入力されたフレームをＲ３から出力するまでの処理時間である。Ｔ３４（２）は、フレームがＲ３から出力されてＲＢ４に入力されるまでの転送時間である。Ｔ  ｄｅｌａｙ  ＵＬ（１）は、ＲＥ装置１２００が、ＲＢ４から入力されたフレームをＲＢ３から出力するまでの処理時間である。Ｔ３４（１）は、フレームがＲＢ３から出力されてＲ４に入力されるまでの転送時間である。【０００７】
ここで、ＲＥ装置１２００のＲＢ２に入力されたフレームは、ＲＢ２で分岐し、ＲＢ１より出力されるとともに、ＲＢ３からも出力される。Ｔ  ｏｆｆｓｅｔ（１）は、ＲＥ装置１２００が、ＲＢ２から入力されたフレームをＲＢ３から出力するまでの処理時間である。したがって、ＲＥＣ装置１１００において、単純に、基準となるフレームがＲ１より出力されてから、Ｒ４に入力されるまでの時間が測定されても、その測定結果は、Ｔ１４遅延とはならず、基準となるフレームが、ＲＥＣ装置１１００のＲ１より出力されてから、ＲＥ装置１２００のＲＢ２、ＲＢ３を経由し、ＲＥＣ装置１１００のＲ４に入力されるまでの時間となる。【０００８】
そこで、ＲＥ装置１２００は、ＲＢ２で分岐してＲＢ３より出力されるフレームと、ＲＢ２で分岐してＲＢ１より出力され、ＲＥ装置１３００のＲ２、Ｒ３を経由し、ＲＢ４に入力されて戻ってきた基準となるフレームとが重なるタイミングで情報を付与することでマーキングを行なっている。【０００９】
つまり、図１１に示すように、Ｒ１から出力された基準となるフレーム１４００は、Ｔ１２（１）後に、ＲＢ２に入力される。そして、フレーム１４００は、Ｔ  ｄｅｌａｙ  ＤＬ（１）後に、ＲＢ１から出力される。このとき、ＲＢ２で分岐した一方のフレーム１４００は、Ｔ  ｏｆｆｓｅｔ（１）後に、ＲＢ３からも出力される。ＲＢ１から出力されたフレーム１４００に戻って、フレーム１４００は、Ｔ１２（２）後に、Ｒ２に入力される。そして、フレーム１４００は、Ｔ  ｏｆｆｓｅｔ（２）後に、Ｒ３から出力される。そして、フレーム１４００は、Ｔ３４（２）後に、ＲＢ４に入力される。そして、フレーム１４００は、Ｔ  ｄｅｌａｙ  ＵＬ（１）後に、ＲＢ２で分岐した一方のフレーム１４００と、図１１中で印が付いたタイミングで重なってＲＢ３から出力される。そして、フレーム１４００は、Ｔ３４（１）後に、Ｒ４に入力される。このように、ＣＰＲＩ規格（ｖ３．０）に示されたＴ１４遅延の測定方式では、ＲＥＣ装置１１００は、フレーム１４００を出力してから、ＲＢ４に入力されて戻ってきたフレーム１４００に付与された情報を検出するまでの時間をＴ１４遅延として測定する。【００１０】
【特許文献１】特開２００８−１１４９８号公報
【発明の開示】
【発明が解決しようとする課題】
【００１１】
ところで、ＣＰＲＩ規格に準拠した無線通信システムにおいて、無線方式が異なる複数のＲＥＣ装置同士で、ＲＥ装置を共有する技術が提案されている。このような無線通信システムにおいても、システム内の各ＲＥＣ装置でＴ１４遅延が測定され、例えば、ハンドオーバー時に不都合が生じないようにするために利用されることが望ましい。しかしながら、ＣＰＲＩ規格（ｖ３．０）に示されたＴ１４遅延の測定方式では、Ｔ１４遅延を測定することができないＲＥＣ装置がでてきてしまうという問題があった。【００１２】
例えば、図１２に示すように、ＲＥＣ装置１５００およびＲＥＣ装置１６００と、ＲＥ装置１８００との間に、データ中継装置１７００を設置するシステムが考えられている。データ中継装置１７００は、ＲＥＣ装置１５００およびＲＥＣ装置１６００が、ＲＥ装置１８００を共有することができるように、各ＲＥＣ装置のデータを多重、または、分離する。【００１３】
この場合、ＲＥＣ装置１５００およびＲＥＣ装置１６００は、それぞれ独立にフレームを生成し、データ中継装置１７００に送信することになる。ところが、データ中継装置１７００とＲＥ装置１８００との間でやりとりするフレームは、いずれか一方のフレームにしなければならない。そのため、例えば、データ中継装置１７００とＲＥ装置１８００との間で、ＲＥＣ装置１５００によって生成されたフレームがやりとりされる場合には、ＲＥＣ装置１６００は、データ中継装置１７００に送信したフレームとは別のフレームを、データ中継装置１７００から受信することになる。各フレームは、各ＲＥＣ装置でそれぞれ独立に生成されており、非同期であるので、ＲＥＣ装置１６００は、受信したフレームにマーキングが行なれていたとしても、ＣＰＲＩ規格（ｖ３．０）に示されたＴ１４遅延の測定方式では、Ｔ１４遅延を測定することができない。【００１４】
開示の技術は、上述した従来技術の課題を解決するためになされたものであり、複数のＲＥＣ装置でＲＥ装置を共有する場合でも、各ＲＥＣ装置がＴ１４遅延を測定することが可能となるデータ中継装置およびフレーム処理方法を提供することを目的とする。
【課題を解決するための手段】
【００１５】
上述した課題を解決し、目的を達成するため、この装置は、移動端末と無線通信する基地局装置から送信されるデータを、前記基地局装置を制御する基地局制御装置に中継し、前記基地局制御装置から送信されるデータを、前記基地局装置に中継するデータ中継装置であって、当該のデータ中継装置よりデータが送信されてから、前記データが前記基地局装置を経由して当該のデータ中継装置に受信されるまでのデータ転送時間を取得するデータ転送時間取得手段と、前記基地局制御装置より送信され、前記データが格納されるフレームから、所定のフレーム値を検出するフレーム値検出手段と、前記フレーム値検出手段によって所定のフレーム値が検出された場合に、検出後さらに、前記データ転送時間取得手段によって取得されたデータ転送時間に加え、所定の時間が経過した後に、前記所定のフレーム値が検出されたフレームの送信元へ、当該検出されたフレーム値と同じフレーム値を有するフレームを送信するフレーム送信手段とを備えたことを要件とする。【００１６】
また、この方法は、移動端末と無線通信する基地局装置から送信されるデータを、前記基地局装置を制御する基地局制御装置に中継し、前記基地局制御装置から送信されるデータを、前記基地局装置に中継するデータ中継装置によるフレーム処理方法であって、前記データ中継装置よりデータが送信されてから、前記データが前記基地局装置を経由して前記データ中継装置に受信されるまでのデータ転送時間を取得するデータ転送時間取得工程と、前記基地局制御装置より送信され、前記データが格納されるフレームから、所定のフレーム値を検出するフレーム値検出工程と、前記フレーム値検出工程によって所定のフレーム値が検出された場合に、検出後さらに、前記データ転送時間取得工程によって取得されたデータ転送時間に加え、所定の時間が経過した後に、前記所定のフレーム値が検出されたフレームの送信元へ、当該検出されたフレーム値と同じフレーム値を有するフレームを送信するフレーム送信工程とを含んだことを要件とする。
【発明の効果】
【００１７】
これらの態様によれば、複数の基地局制御装置で基地局装置を共有する場合でも、各基地局制御装置が、自装置から基地局装置までの往復のデータ転送時間を測定することが可能となる。
【図面の簡単な説明】
【００１８】
【図１】図１は、データ中継装置による処理の概要を説明するための図である。
【図２】図２は、ＲＥＣ装置１００、ＲＥＣ装置３００およびデータ中継装置５００の構成を示すブロック図である。
【図３】図３は、ＣＰＲＩ規格に準拠したフレームについて説明するための図である。
【図４】図４は、フレーム値検出部２０２の検出処理を説明するための図である。
【図５】図５は、図２に示した各装置をフレームの流れに着目して模式的に表した図である。
【図６】図６は、ＲＥＣ装置１００によるＴ１４遅延測定の基準となるフレームが各装置へ入出力する際のタイムチャートである。
【図７】図７は、ＲＥＣ装置３００によるＴ１４遅延測定の基準となるフレームが各装置へ入出力する際のタイムチャートである。
【図８】図８は、ＲＥＣ装置１００のＴ１４遅延測定に関連するフレーム生成部６０５の処理の流れを示すフローチャートである。
【図９】図９は、実施例２に係るデータ中継装置および当該データ中継装置に接続されるＲＥＣ装置の構成を示すブロック図である。
【図１０】図１０は、ＣＰＲＩ規格（ｖ３．０）に示されたＴ１４遅延の測定方式を説明するための図である。
【図１１】図１１は、ＣＰＲＩ規格（ｖ３．０）に示されたＴ１４遅延の測定方式を説明するための図である。
【図１２】図１２は、従来技術の課題を説明するための図である。
【符号の説明】
【００１９】
１００  ＲＥＣ装置
２０１  フレーム生成部
２０２  フレーム値検出部
２０３  遅延測定部
２０４  フレーム終端部
３００  ＲＥＣ装置
４０１  フレーム生成部
４０２  フレーム値検出部
４０３  遅延測定部
４０４  フレーム終端部
５００  データ中継装置
６０１  フレーム生成部
６０２  フレーム値検出部
６０３  遅延測定部
６０４  フレーム値検出部
６０５  フレーム生成部
６０６  フレーム値検出部
６０７  フレーム生成部
６０８  フレーム終端部
６０９  フレーム終端部
６１０  データ多重部
６１１  フレーム終端部
６１２  データ分離部
６２１  ダウンリンク第１Ｉ／Ｆ部
６２２  フレーム値検出部
６２３  ダウンリンク第２Ｉ／Ｆ部
６２４  アップリンク第１Ｉ／Ｆ部
６２５  フレーム値検出部
６２６  遅延測定部
６２７  アップリンク第２Ｉ／Ｆ部
７００  ＲＥ装置
８００  フレーム
８０１  フレーム
８０２  フレーム
９００  フレーム
１０００  フレーム
１１００  ＲＥＣ装置
１２００  ＲＥ装置
１３００  ＲＥ装置
１４００  フレーム
１５００  ＲＥＣ装置
１６００  ＲＥＣ装置
１７００  データ中継装置
１８００  ＲＥ装置
【発明を実施するための最良の形態】
【００２０】
以下に添付図面を参照して、データ中継装置および当該データ中継装置によるフレーム処理方法の好適な実施の形態を詳細に説明する。
【実施例１】
【００２１】
まず、実施例１に係るデータ中継装置の概要を説明する。実施例１に係るデータ中継装置は、ＣＰＲＩ（Common  Public  Radio  Interface）規格に準拠した無線通信システムにおいて、２つのＲＥＣ（Radio  Equipment  Control）装置に接続されるとともに、一つのＲＥ（Radio  Equipment）装置に接続される。なお、データ中継装置に接続されるＲＥＣ装置は、いくつであってもよい。データ中継装置は、各ＲＥＣ装置より受信したデータを多重してＲＥ装置に中継する、あるいは、ＲＥ装置より受信したデータを分離して各ＲＥＣ装置に中継する。データ中継装置が行なうこのようなデータ中継により、各ＲＥＣ装置は、データ中継装置を介して接続されたＲＥ装置を共有する。【００２２】
図１を用いて、データ中継装置による処理の概要を説明する。図１に示すように、データ中継装置５００は、自装置で独立に生成したフレームをＲＥ装置７００と送受信することで、自装置とＲＥ装置７００との間の遅延量を測定する。具体的には、データ中継装置５００は、遅延測定部６０３を備え、基準となるフレームが自装置より送信されてから、ＲＥ装置７００を経由し、再び自装置に受信されるまでの時間を遅延測定部６０３によって測定する。【００２３】
なお、ＲＥ装置７００に他のＲＥ装置が一続きに接続されている場合でも、データ中継装置５００は、ＣＰＲＩ規格（ｖ３．０）に示されたＴ１４遅延の測定方式に基づいて、基準となるフレームが自装置より送信されてから、末端のＲＥ装置を経由し、再び自装置に受信されるまでの時間を測定可能である。【００２４】
ＲＥＣ装置１００およびＲＥＣ装置３００は、自装置で独立に生成したフレームをデータ中継装置５００と送受信することで、自装置とデータ中継装置５００の間の遅延量を測定している。具体的には、ＲＥＣ装置１００は、遅延測定部２０３を備え、基準となるフレームが自装置より送信されてから、再び自装置に受信されるまでの時間を遅延測定部６０３によって測定する。また、ＲＥＣ装置３００は、遅延測定部４０３を備え、同様に、基準となるフレームが自装置より送信されてから、再び自装置に受信されるまでの時間を遅延測定部４０３によって測定する。【００２５】
データ中継装置５００は、ＲＥＣ装置１００から受信した基準となるフレームに対し、遅延測定部６０３によって測定された測定結果と、自装置のデータ中継にかかる処理時間との分だけＲＥＣ装置１００に返す時間を遅らせるという遅延制御を行なう。また、データ中継装置５００は、ＲＥＣ装置３００から受信した基準となるフレームに対しても同様の遅延制御を行なう。なお、データ中継装置５００のデータ中継にかかる処理時間は、装置固有の既知の値である。【００２６】
その結果、ＲＥＣ装置１００で測定される測定結果は、基準となるフレームがＲＥＣ装置１００より出力されて、データ中継装置５００を経由し、ＲＥ装置７００を経由し、再びデータ中継装置５００を経由し、ＲＥＣ装置１００に入力されるまでの時間、つまり、ＲＥＣ装置１００のＴ１４遅延となる。また、ＲＥＣ装置３００で測定される測定結果についても同様にＲＥＣ装置３００のＴ１４遅延となる。このように、実施例１にかかるデータ中継装置５００によれば、ＲＥＣ装置１００およびＲＥＣ装置３００でＲＥ装置７００を共有する場合でも、各ＲＥＣ装置が自装置のＴ１４遅延を測定することが可能となる。【００２７】
次に、図２を用いて、ＲＥＣ装置１００、ＲＥＣ装置３００およびデータ中継装置５００の構成を説明する。図２は、ＲＥＣ装置１００、ＲＥＣ装置３００およびデータ中継装置５００の構成を示すブロック図である。図２に示すように、ＲＥＣ装置１００は、フレーム生成部２０１と、フレーム値検出部２０２と、遅延測定部２０３と、フレーム終端部２０４とを備える。ＲＥＣ装置３００は、フレーム生成部４０１と、フレーム値検出部４０２と、遅延測定部４０３と、フレーム終端部４０４とを備える。データ中継装置５００は、フレーム生成部６０１と、フレーム値検出部６０２と、遅延測定部６０３と、フレーム値検出部６０４と、フレーム生成部６０５と、フレーム値検出部６０６と、フレーム生成部６０７と、フレーム終端部６０８と、フレーム終端部６０９と、データ多重部６１０と、フレーム終端部６１１と、データ分離部６１２とを備える。なお、図２には、ＲＥＣ装置１００およびＲＥＣ装置３００のＴ１４遅延測定に関連する構成のみを示している。以下では、まず、Ｔ１４遅延測定に関連する各部の処理動作を説明し、次に、無線通信システムにおける通常の処理動作を説明する。【００２８】
データ中継装置５００のフレーム生成部６０１は、ＣＰＲＩ規格に準拠したフレームを生成し、ＲＥ装置７００に送信する。ここで、図３を用いて、ＣＰＲＩ規格に準拠したフレームについて説明する。図３に示すように、フレーム８００は、ベーシックフレームと呼ばれ、１６ワードからなる。ベーシックフレームの第０ワードには、各種の制御情報が格納され、残りの第１ワード〜第１５ワードには、無線通信システムにおいて送受信されるデータがＩＱデータとして格納される。そして、２５６個のベーシックフレームで、フレーム８０１が構成され、このフレーム８０１は、ハイパーフレームと呼ばれる。さらに、１５０個のハイパーフレームでフレーム８０２が構成され、このフレーム８０２は、ＵＭＴＳ  ＮｏｄｅＢフレームと呼ばれる。【００２９】
フレーム生成部６０１は、図３に説明したようなフレーム８０２を生成する。また、フレーム生成部６０１は、各ハイパーフレームにフレーム値を格納する。フレーム値とは、ハイパーフレームの番号（ＨＦＮ）とＵＭＴＳ  ＮｏｄｅＢフレームの番号（ＢＦＮ）である。フレーム生成部６０１は、６６．６マイクロ秒毎に番号をカウントアップし、１０．０ミリ秒毎に番号をカウントアップすることで、ハイパーフレームに格納するフレーム値を決定する。例えば、フレーム生成部６０１は、あるハイパーフレームにフレーム値の初期値としてＢＦＮ＝０、ＨＦＮ＝０を格納した場合に、６６．６マイクロ秒後にＨＦＮを０から１にカウントアップして、次のハイパーフレームにＢＦＮ＝０、ＨＦＮ＝１を格納する。これは、後述するフレーム生成部６０５、フレーム生成部６０７、ＲＥＣ装置１００のフレーム生成部２０１、ＲＥＣ装置３００のフレーム生成部４０１についても同様である。【００３０】
そして、フレーム生成部６０１は、ハイパーフレームに格納するフレーム値が予め設定されたフレーム値と同値であった場合には、遅延測定部６０３に制御信号を出力する。つまり、このフレーム値を格納されたハイパーフレームが、データ中継装置５００とＲＥ装置７００との間の遅延量を測定するための基準となるフレームであり、予め設定されたフレーム値は、例えば、ＢＦＮ＝０、ＨＦＮ＝０である。【００３１】
フレーム値検出部６０２は、ＲＥ装置７００から送信されたフレームのフレーム値を検出する。具体的には、フレーム値検出部６０２は、データ中継装置５００が受信し、後述するフレーム終端部６１１へ入力されるフレームに対してフレーム値を検出し、検出したフレーム値が予め設定されたフレーム値と同値であった場合には、遅延測定部６０３に制御信号を出力する。つまり、予め設定されたフレーム値と同値のフレーム値が検出されたハイパーフレームは、データ中継装置５００とＲＥ装置７００との間の遅延量を測定するために上述したフレーム生成部６０１から送信された基準となるフレームである。予め設定されるフレーム値は、フレーム生成部６０１で設定されたフレーム値と同値であることが望ましく、例えば、ＢＦＮ＝０、ＨＦＮ＝０である。【００３２】
遅延測定部６０３は、データ中継装置５００とＲＥ装置７００との間の遅延量を測定する。具体的には、遅延測定部６０３は、フレーム生成部６０１より制御信号を受け取った時点から、フレーム値検出部６０２より制御信号を受け取った時点までの経過時間を測定する。そして、遅延測定部６０３は、測定結果をフレーム生成部６０５およびフレーム生成部６０７に出力する。【００３３】
ＲＥＣ装置１００のフレーム生成部２０１は、ＣＰＲＩ規格に準拠したフレームを生成し、データ中継装置５００に送信する。具体的には、フレーム生成部２０１は、上述したフレーム生成部６０１と同様、ハイパーフレームにフレーム値を格納しており、格納するフレーム値が予め設定されたフレーム値と同値であった場合には、遅延測定部２０３に制御信号を出力する。予め設定されるフレーム値は、例えば、ＢＦＮ＝０、ＨＦＮ＝０である。【００３４】
データ中継装置５００のフレーム値検出部６０４は、ＲＥＣ装置１００から送信されたフレームのフレーム値を検出する。具体的には、フレーム値検出部６０４は、データ中継装置５００が受信し、後述するフレーム終端部６０８へ入力されるフレームに対してフレーム値を検出し、検出したフレーム値が予め設定されたフレーム値と同値であった場合には、検出したフレーム値をフレーム生成部６０５に出力する。予め設定されるフレーム値は、フレーム生成部２０１で設定されたフレーム値と同値であることが望ましく、例えば、ＢＦＮ＝０、ＨＦＮ＝０である。【００３５】
フレーム生成部６０５は、ＣＰＲＩ規格に準拠したフレームを生成し、ＲＥＣ装置１００に送信する。具体的には、フレーム生成部６０５は、フレーム値検出部６０４からフレーム値を受け取ると、フレームの生成を開始して、ＲＥＣ装置１００に送信する。ここで、先頭のハイパーフレームに格納されるフレーム値は、遅延測定部６０３から入力された測定結果と、既知の値であるデータ中継装置５００のデータ中継にかかる処理時間とに基づいて変更されたフレーム値となる。つまり、フレーム生成部６０５は、上記した測定結果と処理時間の合計時間に、ハイパーフレームの番号やＵＭＴＳ  ＮｏｄｅＢフレームの番号がカウントアップされる時間間隔がいくつ含まれるかを算出する。そして、フレーム生成部６０５は、フレーム値検出部６０４から受け取ったフレーム値から算出結果の分だけ前に戻したフレーム値を先頭のハイパーフレームに格納する。例えば、フレーム値検出部６０４から受け取ったフレーム値が、ＢＦＮ＝０、ＨＦＮ＝０であり、合計時間が１０．６６６ミリ秒であった場合を説明する。フレーム生成部６０５は、１０．６６６を１０で割り、１を得る。そして、フレーム生成部６０５は、０．６６６を０．０６６６で割り、１０を得る。その結果、フレーム生成部６０５は、ＢＦＮ＝ｎ−１、ＨＦＮ＝１４０を先頭のハイパーフレームに格納する。なお、ｎは、ＢＦＮが取り得る最大値である。つまり、ｎがさらにカウントアップされると０に戻る。【００３６】
フレーム値検出部２０２は、データ中継装置５００から送信されたフレームのフレーム値を検出する。具体的には、フレーム値検出部２０２は、ＲＥＣ装置１００が受信し、後述するフレーム終端部２０４へ入力されるフレームに対してフレーム値を検出し、検出したフレーム値が予め設定されたフレーム値と同値であった場合には、遅延測定部２０３に制御信号を出力する。つまり、予め設定されたフレーム値と同値のフレーム値が検出されたハイパーフレームは、ＲＥＣ装置１００のＴ１４遅延を測定するための基準となるフレームである。予め設定されるフレーム値は、フレーム生成部２０１で設定されたフレーム値と同値であることが望ましく、例えば、ＢＦＮ＝０、ＨＦＮ＝０である。【００３７】
ここで、図４を用いてフレーム値検出部２０２の検出処理を説明する。仮に、フレーム値の変更が行なわれないまま、データ中継装置５００からＲＥＣ装置１００へフレームが送信されると、フレーム値検出部２０２に入力されるフレームの先頭は、図４に示すように、ＢＦＮ＝０、ＨＦＮ＝０のフレーム値を格納されたハイパーフレームとなる。しかし、フレーム生成部６０５が、上記した測定結果と処理時間に基づいてフレーム値を変更することで、フレーム値検出部２０２に入力されるフレームは、例えば、ＢＦＮ＝ｎ（ｎは、ＢＦＮが取り得る最大値である。つまり、ｎがさらにカウントアップされると０に戻る）、ＨＦＮ＝１３０のフレーム値を格納されたハイパーフレームとなる。その結果、フレーム値検出部２０２は、フレーム値が変更されない場合と比較して、フレーム値ＢＦＮ＝０、ＨＦＮ＝０を遅れて検出することになる。検出時間の差分は、遅延測定部６０３の測定結果と、データ中継装置５００固有のデータ中継にかかる処理時間の和に等しい。【００３８】
遅延測定部２０３は、ＲＥＣ装置１００のＴ１４遅延を測定する。具体的には、遅延測定部２０３は、フレーム生成部２０１より制御信号を受け取った時点から、フレーム値検出部２０２より制御信号を受け取った時点までの経過時間を測定する。【００３９】
ＲＥＣ装置３００のフレーム生成部４０１、フレーム値検出部４０２および遅延測定部４０３と、データ中継装置５００のフレーム値検出部６０６およびフレーム生成部６０７とが、遅延測定部６０３の遅延測定後に行なう処理動作は、ＲＥＣ装置１００のフレーム生成部２０１、フレーム値検出部２０２および遅延測定部２０３と、データ中継装置５００のフレーム値検出部６０４およびフレーム生成部６０５と同様であるので説明を省略する。【００４０】
なお、フレーム生成部４０１は、ＲＥＣ装置３００で独立制御されており、フレームの生成に関して、ＲＥＣ装置１００のフレーム生成部２０１とは非同期となる場合がある。しかし、上述したデータ中継装置５００のフレーム生成部６０５によるフレームの遅延制御により、ＲＥＣ装置１００と同様に、Ｔ１４遅延を測定することができる。以上が、Ｔ１４遅延測定に関連する各部の処理動作である。次に、無線通信システムにおける通常の処理動作を説明する。【００４１】
ＲＥＣ装置１００のフレーム生成部２０１は、無線通信システムにおける上位装置（図示せず）から受信したデータをＣＰＲＩ規格に準拠したフレームに格納し、データ中継装置５００に送信する。ＲＥＣ装置３００のフレーム生成部４０１も、フレーム生成部２０１と同様の処理を行なう。【００４２】
データ中継装置５００のフレーム終端部６０８は、データ中継装置５００がＲＥＣ装置１００より受信したフレームを、フレーム値検出部６０４を介して受け取り、フレームから取得したデータをデータ多重部６１０に出力する。フレーム終端部６０９は、データ中継装置５００がＲＥＣ装置３００より受信したフレームを、フレーム値検出部６０６を介して受け取り、フレームからデータを取得してデータ多重部６１０に出力する。【００４３】
データ多重部６１０は、フレーム終端部６０８から入力されたデータと、フレーム終端部６０９から入力されたデータとを多重してフレーム生成部６０１に出力する。フレーム生成部６０１は、データ多重部６１０から入力されたデータをＣＰＲＩ規格に準拠したフレームに格納し、ＲＥ装置７００に送信する。【００４４】
フレーム終端部６１１は、データ中継装置５００がＲＥ装置７００より受信したフレームを、フレーム値検出部６０２を介して受け取り、フレームから取得したデータをデータ分離部６１２に出力する。データ分離部６１２は、フレーム終端部６１１から入力されたデータを、ＲＥＣ装置１００に送信するデータと、ＲＥＣ装置３００に送信するデータとに分離する。そして、データ分離部６１２は、ＲＥＣ装置１００に送信されるデータについては、フレーム生成部６０５に出力し、ＲＥＣ装置３００に送信されるデータについては、フレーム生成部６０７に出力する。【００４５】
フレーム生成部６０５は、データ分離部６１２から入力されたデータをＣＰＲＩ規格に準拠したフレームに格納し、ＲＥＣ装置１００に送信する。フレーム生成部６０７は、データ分離部６１２から入力されたデータをＣＰＲＩ規格に準拠したフレームに格納し、ＲＥＣ装置３００に送信する。【００４６】
ＲＥＣ装置１００のフレーム終端部２０４は、ＲＥＣ装置１００がデータ中継装置５００より受信したフレームを、フレーム値検出部２０２を介して受け取り、フレームから取得したデータを無線通信システムにおける上位装置（図示せず）に送信する。【００４７】
ＲＥＣ装置３００のフレーム終端部４０４は、ＲＥＣ装置３００がデータ中継装置５００より受信したフレームを、フレーム値検出部４０２を介して受け取り、フレームから取得したデータを無線通信システムにおける上位装置（図示せず）に送信する。【００４８】
次に、図５、図６および図７を用いて、実施例１に係るＲＥＣ装置１００およびＲＥＣ装置３００のＴ１４遅延の測定方式を説明する。図５は、図２に示した各装置をフレームの流れだけに着目して模式的に表した図である。図５に示すように、ＲＥＣ装置１００のＴ１４遅延とは、基準となるフレームが、ＲＥＣ装置１００の出力端Ｒ１（Ａ）より出力されてから、データ中継装置５００の入力端ＲＢ２（Ａ）、出力端ＲＢ１（Ｃ）を経由し、ＲＥ装置７００の入力端Ｒ２（Ｃ）、出力端Ｒ３（Ｃ）を経由し、データ中継装置５００の入力端ＲＢ４（Ｃ）、出力端ＲＢ３（Ａ）を経由し、ＲＥＣ装置１００の入力端Ｒ４（Ａ）に入力されるまでの時間である。つまり、Ｔ１４遅延は、Ｔ１２（１ａ）＋Ｔ  ｄｅｌａｙ  ＤＬ（Ｃ１）＋Ｔ１４（Ｃ）＋Ｔ  ｄｅｌａｙ  ＵＬ（Ｃ１）＋Ｔ３４（１ａ）となる。【００４９】
Ｔ１２（１ａ）は、フレームがＲ１（Ａ）から出力されてＲＢ２（Ａ）に入力されるまでの転送時間である。Ｔ  ｄｅｌａｙ  ＤＬ（Ｃ１）は、データ中継装置５００が、ＲＥＣ装置１００とＲＥ装置７００の間のダウンリンクのデータ中継を行なうための処理時間である。Ｔ１４（Ｃ）は、データ中継装置５００とＲＥ装置７００の間の遅延測定結果である。Ｔ  ｄｅｌａｙ  ＵＬ（Ｃ１）は、データ中継装置５００が、ＲＥＣ装置１００とＲＥ装置７００の間のアップリンクのデータ中継を行なうための処理時間である。Ｔ３４（１ａ）は、フレームがＲＢ３（Ａ）から出力されてＲ４（Ａ）に入力されるまでの転送時間である。【００５０】
つまり、図６に示すように、Ｒ１（Ａ）から出力されたＲＥＣ装置１００の基準となるフレーム９００は、Ｔ１２（１ａ）後に、ＲＢ２（Ａ）に入力される。そして、フレーム９００は、Ｔ１４（Ｃ）＋Ｔ  ｄｅｌａｙ  ＤＬ（Ｃ１）＋Ｔ  ｄｅｌａｙ  ＵＬ（Ｃ１）後に、ＲＢ３（Ａ）から出力される。フレーム９００がこのように遅れて出力されるのは、フレーム生成部６０５が、フレーム値検出部６０４から受け取ったフレーム値を変更した結果である。そして、フレーム９００は、Ｔ３４（１ａ）後に、Ｒ４（Ａ）に入力される。したがって、ＲＥＣ装置１００は、フレーム９００が自装置より出力されてから、再び自装置に入力するまでの時間を測定すれば、Ｔ１４遅延を測定することが可能となる。【００５１】
また、図５に示すように、ＲＥＣ装置３００のＴ１４遅延とは、基準となるフレームが、ＲＥＣ装置３００の出力端Ｒ１（Ｂ）より出力されてから、データ中継装置５００の入力端ＲＢ２（Ｂ）、出力端ＲＢ１（Ｃ）を経由し、ＲＥ装置７００の入力端Ｒ２（Ｃ）、出力端Ｒ３（Ｃ）を経由し、データ中継装置５００の入力端ＲＢ４（Ｃ）、出力端ＲＢ３（Ｂ）を経由し、ＲＥＣ装置３００の入力端Ｒ４（Ｂ）に入力されるまでの時間である。つまり、Ｔ１４遅延は、Ｔ１２（１ｂ）＋Ｔ  ｄｅｌａｙ  ＤＬ（Ｃ２）＋Ｔ１４（Ｃ）＋Ｔ  ｄｅｌａｙ  ＵＬ（Ｃ２）＋Ｔ３４（１ｂ）となる。【００５２】
Ｔ１２（１ｂ）は、フレームがＲ１（Ｂ）から出力されてＲＢ２（Ｂ）に入力されるまでの転送時間である。Ｔ  ｄｅｌａｙ  ＤＬ（Ｃ２）は、データ中継装置５００が、ＲＥＣ装置３００とＲＥ装置７００の間のダウンリンクのデータ中継を行なうための処理時間である。Ｔ１４（Ｃ）は、データ中継装置５００とＲＥ装置７００の間の遅延測定結果である。Ｔ  ｄｅｌａｙ  ＵＬ（Ｃ２）は、データ中継装置５００が、ＲＥＣ装置３００とＲＥ装置７００の間のアップリンクのデータ中継を行なうための処理時間である。Ｔ３４（１ｂ）は、フレームがＲＢ３（Ｂ）から出力されてＲ４（Ｂ）に入力されるまでの転送時間である。【００５３】
つまり、図７に示すように、Ｒ１（Ｂ）から出力されたＲＥＣ装置３００の基準となるフレーム１０００は、Ｔ１２（１ｂ）後に、ＲＢ２（Ｂ）に入力される。そして、フレーム１０００は、Ｔ１４（Ｃ）＋Ｔ  ｄｅｌａｙ  ＤＬ（Ｃ２）＋Ｔ  ｄｅｌａｙ  ＵＬ（Ｃ２）後に、ＲＢ３（Ｂ）から出力される。フレーム１０００がこのように遅れて出力されるのは、フレーム生成部６０７が、フレーム値検出部６０６から受け取ったフレーム値を変更した結果である。そして、フレーム１０００は、Ｔ３４（１ｂ）後に、Ｒ４（Ｂ）に入力される。したがって、ＲＥＣ装置３００は、フレーム１０００が自装置より出力されてから、再び自装置に入力するまでの時間を測定すれば、Ｔ１４遅延を測定することが可能となる。【００５４】
次に、データ中継装置５００のフレーム生成部６０５のＴ１４遅延測定に関連する処理の流れを説明する。図８は、ＲＥＣ装置１００のＴ１４遅延測定に関連するフレーム生成部６０５の処理の流れを示すフローチャートである。なお、図８に示した処理フローは、フレーム生成部６０７においても同様に実行される。【００５５】
まず、フレーム生成部６０５は、遅延測定部６０３よりデータ中継装置５００とＲＥ装置７００の間の遅延測定結果を受け取る（ステップＳ１０１）。そして、フレーム生成部６０５は、フレーム値検出部６０４よりフレーム値を受け取る（ステップＳ１０２）。【００５６】
そして、フレーム生成部６０５は、遅延測定部６０３より受け取った遅延測定結果と、データ中継装置５００のデータ中継にかかる処理時間とに基づいてフレーム値を変更してフレームを生成する（ステップＳ１０３）。そして、フレーム生成部６０５は、ＲＥＣ装置１００にフレームを送信し（ステップＳ１０４）、Ｔ１４遅延測定に関連する処理を終了する。【００５７】
上述してきたように、実施例１に係るデータ中継装置５００は、自装置とＲＥ装置７００との間の遅延測定を行なう。そして、データ中継装置５００は、ＲＥＣ装置１００からＴ１４遅延測定の基準となるフレームを受信した場合には、測定した時間と、自装置のデータ中継にかかる処理時間との分だけ遅らせてＲＥＣ装置１００に同一フレームを返す。また、データ中継装置５００は、ＲＥＣ装置３００から受信した基準となるフレームに対しても同様の遅延制御を行なう。【００５８】
こうすることによって、ＲＥＣ装置１００やＲＥＣ装置３００は、基準となるフレームを送信してから受信するまでの時間を測定することで、それぞれのＴ１４遅延を測定することができる。つまり、複数のＲＥＣ装置でＲＥ装置を共有する場合でも、各ＲＥＣ装置がＴ１４遅延を測定することが可能となる。【００５９】
なお、ＲＥＣ装置１００やＲＥＣ装置３００とＲＥ装置７００との間に、必ずしもデータ中継装置５００を設置しなくてもよく、例えば、ＲＥＣ装置１００に、上述したデータ中継装置５００と同様の機能を持たせるようにしてもよい。
【実施例２】
【００６０】
実施例１では、データ中継装置が、自装置とＲＥ装置との間の遅延測定を行なうためのフレームを自装置で独立に生成する場合を説明したが、実施例２では、一つのＲＥＣ装置によって生成されたフレームを利用する場合を説明する。なお、フレームが利用されるＲＥＣ装置は、ＣＰＲＩ規格（ｖ３．０）に示されたＴ１４遅延の測定方式に基づいてＴ１４遅延を測定することが望ましい。以下の説明では、既に説明した部分と同様の部分には、既に説明した部分と同一の符号を付し、詳細な説明を省略することとする。【００６１】
図９は、実施例２に係るデータ中継装置および当該データ中継装置に接続されるＲＥＣ装置の構成を示すブロック図である。図９に示すように、データ中継装置５１０は、ダウンリンク第１Ｉ／Ｆ部６２１と、フレーム値検出部６２２と、ダウンリンク第２Ｉ／Ｆ部６２３と、アップリンク第１Ｉ／Ｆ部６２４と、フレーム値検出部６２５と、遅延測定部６２６と、アップリンク第２Ｉ／Ｆ部６２７と、フレーム値検出部６０６と、フレーム生成部６０７と、フレーム終端部６０９と、データ多重部６１０と、データ分離部６１２とを備える。ＲＥＣ装置１１０は、マーキング検出部２１１と、フレーム生成部２０１と、遅延測定部２０３と、フレーム終端部２０４とを備える。ＲＥＣ装置３００は、フレーム生成部４０１と、フレーム値検出部４０２と、遅延測定部４０３と、フレーム終端部４０４とを備える。なお、図２には、ＲＥＣ装置１００およびＲＥＣ装置３００のＴ１４遅延測定に関連する構成のみを示している。【００６２】
図９では、ＲＥＣ装置１１０がＣＰＲＩ規格（ｖ３．０）に示されたＴ１４遅延の測定方式に基づいてＴ１４遅延を測定する。つまり、データ中継装置５１０は、ＲＥＣ装置１１０によって生成されたフレームを利用して、自装置とＲＥ装置７００との間の遅延測定を行なう。以下では、Ｔ１４遅延測定に関連する各部の処理動作のみを説明する。【００６３】
ＲＥＣ装置１１０のフレーム生成部２０１は、ＣＰＲＩ規格に準拠したフレームを生成し、データ中継装置５１０に送信する。具体的には、フレーム生成部２０１は、ハイパーフレームの先頭のベーシックフレームの第０ワードにフレーム値を格納しており、格納するフレーム値が予め設定されたフレーム値と同値であった場合には、遅延測定部２０３に制御信号を出力する。【００６４】
ダウンリンク第１Ｉ／Ｆ部６２１は、ＲＥＣ装置１１０からフレームを受信し、受信したフレームをデータ多重部６１０およびアップリンク第２Ｉ／Ｆ部６２７に出力する。【００６５】
フレーム値検出部６２２は、データ多重部６１０から出力され、後述するダウンリンク第１Ｉ／Ｆ部６２１へ入力されるフレームに対してフレーム値を検出し、検出したフレーム値が予め設定されたフレーム値と同値であった場合には、遅延測定部６２６に制御信号を出力する。【００６６】
ダウンリンク第２Ｉ／Ｆ部６２３は、フレーム値検出部６２２から出力されたフレームをＲＥ装置７００に送信する。アップリンク第１Ｉ／Ｆ部６２４は、ＲＥ装置７００からフレームを受信し、受信したフレームをフレーム値検出部６２５に出力する。【００６７】
フレーム値検出部６２５は、ＲＥ装置７００から送信されたフレームのフレーム値を検出する。具体的には、フレーム値検出部６２５は、アップリンク第１Ｉ／Ｆ部６２４から出力され、データ分離部６１２へ入力されるフレームに対してフレーム値を検出し、検出したフレーム値が予め設定されたフレーム値と同値であった場合には、遅延測定部６２６に制御信号を出力する。予め設定されるフレーム値は、フレーム値検出部６２２で設定されたフレーム値と同値であることが望ましい。【００６８】
遅延測定部６２６は、データ中継装置５１０とＲＥ装置７００との間の遅延量を測定する。具体的には、遅延測定部６２６は、フレーム値検出部６２２より制御信号を受け取った時点から、フレーム値検出部６２５より制御信号を受け取った時点までの経過時間を測定し、測定結果をフレーム生成部６０７のみに出力する。【００６９】
アップリンク第２Ｉ／Ｆ部６２７は、ダウンリンク第１Ｉ／Ｆ部６２１およびデータ分離部６１２から出力されたフレームをＲＥＣ装置１１０に送信する。このとき、アップリンク第２Ｉ／Ｆ部６２７は、ダウンリンク第１Ｉ／Ｆ部６２１より出力されるフレームと、データ分離部６１２より出力されるフレームとが重なるタイミングで、フレームに情報を付与してマーキングを行なっている。【００７０】
ＲＥＣ装置１１０のマーキング検出部２１１は、データ中継装置５１０から受信したフレームから、マーキングが行なわれた結果付与されている情報を検出すると、遅延測定部２０３に制御信号を出力する。そして、遅延測定部２０３は、フレーム生成部２０１より制御信号を受け取った時点から、マーキング検出部２１１より制御信号を受け取った時点までの経過時間を測定する。このように、ＲＥＣ装置１１０は、ＣＰＲＩ規格（ｖ３．０）に示されたＴ１４遅延の測定方式に基づいてＴ１４遅延を測定する。【００７１】
一方、ＲＥＣ装置３００は、実施例１と同様に、自装置で独立にフレームを生成して、生成したフレームをデータ中継装置５１０に送信する。そして、ＲＥＣ装置３００は、データ中継装置５１０によるフレームの遅延制御により、Ｔ１４遅延を測定することができる。【００７２】
上述してきたように、実施例２に係るデータ中継装置５１０は、ＲＥＣ装置１１０によって生成されたフレームを利用して自装置とＲＥ装置７００との間の遅延測定を行なう。そして、データ中継装置５１０は、ＲＥＣ装置３００からＴ１４遅延測定の基準となるフレームを受信した場合には、測定した時間と、自装置のデータ中継にかかる処理時間との分だけ遅らせてＲＥＣ装置３００に返す。なお、フレームが利用されるＲＥＣ装置１１０は、ＣＰＲＩ規格（ｖ３．０）に示されたＴ１４遅延の測定方式に基づいてＴ１４遅延を測定する。【００７３】
こうすることによって、ＲＥＣ装置３００は、基準となるフレームを送信してから受信するまでの時間を測定することで、Ｔ１４遅延を測定することができる。つまり、複数のＲＥＣ装置でＲＥ装置を共有する場合でも、各ＲＥＣ装置がＴ１４遅延を測定することが可能となる。【００７４】
なお、ＲＥＣ装置１１０やＲＥＣ装置３００とＲＥ装置７００との間に、必ずしもデータ中継装置５１０を設置しなくてもよく、例えば、ＲＥＣ装置１１０に、上述したデータ中継装置５１０と同様の機能を持たせるようにしてもよい。
【図１】
2010013332.tif 000003
【図２】
2010013332.tif 000004
【図３】
2010013332.tif 000005
【図４】
2010013332.tif 000006
【図５】
2010013332.tif 000007
【図６】
2010013332.tif 000008
【図７】
2010013332.tif 000009
【図８】
2010013332.tif 000010
【図９】
2010013332.tif 000011
【図１０】
2010013332.tif 000012
【図１１】
2010013332.tif 000013
【図１２】
2010013332.tif 000014
【国際調査報告】
2010013332.tif 000015
2010013332.tif 000016